(57)【要約】【課題】エネルギーの消耗を低減する流体循環用建物を提供する。【解決手段】本体、熱交換装置（１００、および流体作動装置アセンブリ（２０）を備える。半開放建物（３００）は、媒体を収容する内部空間、内部空間に連通され２次流体が流れる２次流体流路（５００）、ならびに、２次流体流路（５００）に設けられる２次流体フローガイドプレート（６００）を有する。熱交換装置（１００）は、２次流体流路（５００）に設けられ熱エネルギー流体が流れる。流体作動装置アセンブリ（２０）は、熱エネルギー流体により駆動される流体作動装置（２００）、および、流体作動装置（２００）により駆動される２次流体圧送セット（２０２）を有し、２次流体流路（５００）に設けられる。２次流体は、流体作動装置アセンブリ（２０）により内部空間と２次流体流路（５００）との間で循環し、熱交換装置（１００）により加熱される。【選択図】図１
2013044521.tif 000002
【特許請求の範囲】
【請求項１】
媒体を収容する内部空間、当該内部空間に連通され２次流体が流れる２次流体流路（５００）、および、当該２次流体流路（５００）に設けられる２次流体フローガイドプレート（６００）を有する本体と、
前記２次流体流路（５００）に設けられ熱エネルギー流体が流れる熱交換装置（１００）と、
前記熱エネルギー流体により駆動される流体作動装置（２００）および当該流体作動装置（２００）により駆動される２次流体圧送セット（２０２）を有し、前記２次流体流路（５００）に設けられる流体作動装置アセンブリ（２０）と、を備え、
前記２次流体は、前記流体作動装置アセンブリ（２０）により前記内部空間と前記２次流体流路（５００）との間で循環し、前記熱交換装置（１００）により加熱されることを特徴とする流体循環用建物。
【請求項２】
前記本体は、立設側面及び頂部を有する半開放建物（３００）であり、
前記熱交換装置（１００）は、前記流体作動装置アセンブリ（２０）の側に設けられ、熱伝導性材料で製作される熱交換装置であって、外部を通過する前記２次流体を加熱し、熱エネルギー流体を供給する熱エネルギー流体の入口（１００１）、および、前記熱エネルギー流体を排出する熱エネルギー流体の出口（１００２）を有し、
前記熱交換装置（１００）と前記流体作動装置（２００）とは、吸入口（１０１）および吐出口（１０４）を有する熱エネルギー流体管路（１０５）により連通され、
前記流体作動装置アセンブリ（２０）は、前記流体作動装置（２００）と前記２次流体圧送セット（２０２）との間に設けられる回転軸（２０１）および流体作動装置（２００）と２次流体圧送セット（２０２）との間に設置される非接触磁気式の隔離伝動装置（２１０）をさらに有し、前記熱エネルギー流体に駆動される前記流体作動装置（２００）により、前記回転軸（２０１）、または、前記回転軸（２０１）および前記隔離伝動装置（２１０）を介して前記２次流体圧送セット（２０２）を駆動し、
前記流体作動装置（２００）は、前記熱エネルギー流体管路（１０５）と連通する流体入口（１０２）および流体出口（１０３）を有し、前記流体入口（１０２）から入る前記熱エネルギー流体により前記回転軸（２０１）を回転し、
前記２次流体圧送セット（２０２）は、２次流体入口（２０３）、２次流体出口（２０４）、前記２次流体入口（２０３）と前記２次流体出口（２０４）との間に設けられる仕切板（２０５）、ならびに、前記回転軸（２０１）または前記隔離伝動装置（２１０）により駆動され前記２次流体を圧送する羽根セットを有し、前記２次流体入口（２０３）から入る前記２次流体を前記２次流体出口（２０４）から送り出し、
前記２次流体流路（５００）は、前記半開放建物（３００）の内部に形成され、前記２次流体を案内し、一端に形成され前記内部空間と接続する流路入口（７００）および他端に形成され前記内部空間と接続する流路出口（７５０）を有し、内部に前記２次流体フローガイドプレート（６００）及び熱交換装置（１００）が設けられ、
前記２次流体フローガイドプレート（６００）は、前記２次流体の流れ方向に板状に形成され、前記２次流体の流れを誘導可能であり、前記２次流体を分流することを特徴とする請求項１に記載の流体循環用建物。
【請求項３】
前記本体は、立設側面及び頂部を有する半開放建物（３００）であり、
前記熱交換装置（１００）と前記流体作動装置（２００）とは、吸入口（１０１）および吐出口（１０４）を有する熱エネルギー流体管路（１０５）により連通され、
前記流体作動装置アセンブリ（２０）は、前記流体作動装置（２００）と前記２次流体圧送セット（２０２）との間に設けられる回転軸（２０１）および流体作動装置（２００）と２次流体圧送セット（２０２）との間に設置される非接触磁気式の隔離伝動装置（２１０）をさらに有し、前記熱エネルギー流体に駆動される前記流体作動装置（２００）により、前記回転軸（２０１）、または、前記回転軸（２０１）および前記隔離伝動装置（２１０）を介して前記２次流体圧送セット（２０２）を駆動し、
前記流体作動装置（２００）は、前記熱エネルギー流体管路（１０５）と連通する流体入口（１０２）および流体出口（１０３）を有し、前記流体入口（１０２）から入る前記熱エネルギー流体により前記回転軸（２０１）を回転し、
前記２次流体圧送セット（２０２）は、２次流体入口（２０３）、２次流体出口（２０４）、前記２次流体入口（２０３）と前記２次流体出口（２０４）との間に設けられる仕切板（２０５）、ならびに、前記回転軸（２０１）または前記隔離伝動装置（２１０）により駆動され前記２次流体を圧送する羽根セットを有し、前記２次流体入口（２０３）から入る前記２次流体を前記２次流体出口（２０４）から送り出し、
前記２次流体流路（５００）は、前記半開放建物（３００）の内部に形成され、前記２次流体を案内し、一端に形成され前記内部空間と接続する流路入口（７００）および他端に形成され前記内部空間と接続する流路出口（７５０）を有し、内部に前記２次流体フローガイドプレート（６００）及び前記熱交換装置（１００）が設けられ、
前記熱交換装置（１００）は、前記流路出口（７５０）側に設けられ、熱伝導性材料で製作される熱交換装置であって、外部を通過する前記２次流体を加熱し、熱エネルギー流体を供給する熱エネルギー流体の入口（１００１）、および、前記熱エネルギー流体を排出する熱エネルギー流体の出口（１００２）を有し、
前記２次流体フローガイドプレート（６００）は、前記２次流体の流れ方向に板状に形成され、前記２次流体の流れを誘導可能であり、前記２次流体を分流することを特徴とする請求項１に記載の流体循環用建物。
【請求項４】
前記本体は、密閉構造であって、筒状、球状、又は、槽状の前記内部空間が形成される密閉型建物（４００）であり、
前記熱交換装置（１００）は、前記流体作動装置アセンブリ（２０）の側に設けられ、熱伝導性材料で製作される熱交換装置であって、外部を通過する前記２次流体を加熱し、熱エネルギー流体を供給する熱エネルギー流体の入口（１００１）、および、前記熱エネルギー流体を排出する熱エネルギー流体の出口（１００２）を有し、
前記熱交換装置（１００）と前記流体作動装置（２００）とは、吸入口（１０１）および吐出口（１０４）を有する熱エネルギー流体管路（１０５）により連通され、
前記流体作動装置アセンブリ（２０）は、前記流体作動装置（２００）と前記２次流体圧送セット（２０２）との間に設けられる回転軸（２０１）および流体作動装置（２００）と２次流体圧送セット（２０２）との間に設置される非接触磁気式の隔離伝動装置（２１０）をさらに有し、前記熱エネルギー流体に駆動される前記流体作動装置（２００）により、前記回転軸（２０１）、または、前記回転軸（２０１）および前記隔離伝動装置（２１０）を介して前記２次流体圧送セット（２０２）を駆動し、
前記流体作動装置（２００）は、前記熱エネルギー流体管路（１０５）と連通する流体入口（１０２）および流体出口（１０３）を有し、前記流体入口（１０２）から入る前記熱エネルギー流体により前記回転軸（２０１）を回転し、
前記２次流体圧送セット（２０２）は、２次流体入口（２０３）、２次流体出口（２０４）、前記２次流体入口（２０３）と前記２次流体出口（２０４）との間に設けられる仕切板（２０５）、ならびに、前記回転軸（２０１）または前記隔離伝動装置（２１０）により駆動され前記２次流体を圧送する羽根セットを有し、前記２次流体入口（２０３）から入る前記２次流体を前記２次流体出口（２０４）から送り出し、
前記２次流体流路（５００）は、前記半開放建物（３００）の内部に形成され、前記２次流体を案内し、一端に形成され前記内部空間と接続する流路入口（７００）および他端に形成され前記内部空間と接続する流路出口（７５０）を有し、内部に前記２次流体フローガイドプレート（６００）及び熱交換装置（１００）が設けられ、
前記２次流体フローガイドプレート（６００）は、前記２次流体の流れ方向に板状に形成され、前記２次流体の流れを誘導可能であり、前記２次流体を分流することを特徴とする請求項１に記載の流体循環用建物。
【請求項５】
前記本体は、密閉構造であって、筒状、球状、又は、槽状の前記内部空間が形成される密閉型建物（４００）であり、
前記熱交換装置（１００）と前記流体作動装置（２００）とは、吸入口（１０１）および吐出口（１０４）を有する熱エネルギー流体管路（１０５）により連通され、
前記流体作動装置アセンブリ（２０）は、前記流体作動装置（２００）と前記２次流体圧送セット（２０２）との間に設けられる回転軸（２０１）および流体作動装置（２００）と２次流体圧送セット（２０２）との間に設置される非接触磁気式の隔離伝動装置（２１０）をさらに有し、前記熱エネルギー流体に駆動される前記流体作動装置（２００）により、前記回転軸（２０１）、または、前記回転軸（２０１）および前記隔離伝動装置（２１０）を介して前記２次流体圧送セット（２０２）を駆動し、
前記流体作動装置（２００）は、前記熱エネルギー流体管路（１０５）と連通する流体入口（１０２）および流体出口（１０３）を有し、前記流体入口（１０２）から入る前記熱エネルギー流体により前記回転軸（２０１）を回転し、
前記２次流体圧送セット（２０２）は、２次流体入口（２０３）、２次流体出口（２０４）、前記２次流体入口（２０３）と前記２次流体出口（２０４）との間に設けられる仕切板（２０５）、ならびに、前記回転軸（２０１）または前記隔離伝動装置（２１０）により駆動され前記２次流体を圧送する羽根セットを有し、前記２次流体入口（２０３）から入る前記２次流体を前記２次流体出口（２０４）から送り出し、
前記２次流体流路（５００）は、前記半開放建物（３００）の内部に形成され、前記２次流体を案内し、一端に形成され前記内部空間と接続する流路入口（７００）および他端に形成され前記内部空間と接続する流路出口（７５０）を有し、内部に前記２次流体フローガイドプレート（６００）及び前記熱交換装置（１００）が設けられ、
前記熱交換装置（１００）は、前記流路出口（７５０）側に設けられ、熱伝導性材料で製作される熱交換装置であって、外部を通過する前記２次流体を加熱し、熱エネルギー流体を供給する熱エネルギー流体の入口（１００１）、および、前記熱エネルギー流体を排出する熱エネルギー流体の出口（１００２）を有し、
前記２次流体フローガイドプレート（６００）は、前記２次流体の流れ方向に板状に形成され、前記２次流体の流れを誘導可能であり、前記２次流体を分流することを特徴とする請求項１に記載の流体循環用建物。
【請求項６】
前記本体は、前記熱交換装置（１００）、前記流体作動装置アセンブリ（２０）、前記２次流体流路（５００）、および、前記２次流体フローガイドプレート（６００）を含む２次流体循環システムを複数有することを特徴とする請求項２に記載の流体循環用建物。
【請求項７】
前記本体は、前記熱交換装置（１００）、前記流体作動装置アセンブリ（２０）、前記２次流体流路（５００）、および、前記２次流体フローガイドプレート（６００）を含む２次流体循環システムを複数有することを特徴とする請求項３に記載の流体循環用建物。
【請求項８】
前記本体は、前記熱交換装置（１００）、前記流体作動装置アセンブリ（２０）、前記２次流体流路（５００）、および、前記２次流体フローガイドプレート（６００）を含む２次流体循環システムを複数有することを特徴とする請求項４に記載の流体循環用建物。
【請求項９】
前記本体は、前記熱交換装置（１００）、前記流体作動装置アセンブリ（２０）、前記２次流体流路（５００）、および、前記２次流体フローガイドプレート（６００）を含む２次流体循環システムを複数有することを特徴とする請求項５に記載の流体循環用建物。
【請求項１０】
前記内部空間に収容される媒体は、気相および液相を含む流体、または、流体中の固体により構成されることを特徴とする請求項１に記載の流体循環用建物。
【請求項１１】
前記熱エネルギー流体は、液相又は気相を含むことを特徴とする請求項１に記載の流体循環用建物。
【請求項１２】
前記本体は、筒状、または槽状の半開放建物であることを特徴とする請求項１に記載の流体循環用建物。
【請求項１３】
前記本体は、筒状、球状、又は、槽状の密閉型建物であることを特徴とする請求項１に記載の流体循環用建物。
【請求項１４】
媒体を収容する内部空間、当該内部空間に連通され２次流体が流れる２次流体流路（５００）、ならびに、当該２次流体流路（５００）に設けられる２次流体フローガイドプレート（６００）を有する本体と、
前記熱エネルギー流体により駆動される流体作動装置（２００）、および、当該流体作動装置（２００）により駆動される２次流体圧送セット（２０２）を有し、前記２次流体流路（５００）に設けられる流体作動装置アセンブリ（２０）と、を備え、
前記本体は、立設側面及び頂部を有する半開放建物（３００）であり、
前記流体作動装置アセンブリ（２０）は、前記流体作動装置（２００）と前記２次流体圧送セット（２０２）との間に設けられる回転軸（２０１）および非接触磁気式の隔離伝動装置（２１０）をさらに有し、前記熱エネルギー流体に駆動される前記流体作動装置（２００）により、前記回転軸（２０１）、または、前記回転軸（２０１）および前記隔離伝動装置（２１０）を介して前記２次流体圧送セット（２０２）を駆動し、
前記流体作動装置（２００）は、前記熱エネルギー流体管路（１０５）と連通する流体入口（１０２）および流体出口（１０３）を有し、前記流体入口（１０２）から入る前記熱エネルギー流体により前記回転軸（２０１）を回転し、
前記２次流体圧送セット（２０２）は、２次流体入口（２０３）、２次流体出口（２０４）、前記２次流体入口（２０３）と前記２次流体出口（２０４）との間に設けられる仕切板（２０５）、ならびに、前記回転軸（２０１）または前記隔離伝動装置（２１０）により駆動され前記２次流体を圧送する羽根セットを有し、前記２次流体入口（２０３）から入る前記２次流体を前記２次流体出口（２０４）から送り出し、
前記２次流体流路（５００）は、前記半開放建物（３００）の内部に形成され、前記２次流体を案内し、一端に形成され前記内部空間と接続する流路入口（７００）および他端に形成され前記内部空間と接続する流路出口（７５０）を有し、内部に前記２次流体フローガイドプレート（６００）が設けられ、
前記２次流体フローガイドプレート（６００）は、前記２次流体の流れ方向に板状に形成され、前記２次流体の流れを誘導可能であり、前記２次流体を分流することを特徴とする流体循環用建物。
【請求項１５】
媒体を収容する内部空間、当該内部空間に連通され２次流体が流れる２次流体流路（５００）、ならびに、当該２次流体流路（５００）に設けられる２次流体フローガイドプレート（６００）を有する本体と、
前記熱エネルギー流体により駆動される流体作動装置（２００）、および、当該流体作動装置（２００）により駆動される２次流体圧送セット（２０２）を有し、前記２次流体流路（５００）に設けられる流体作動装置アセンブリ（２０）と、を備え、
前記本体は、密閉構造であって、筒状、球状、又は、槽状の前記内部空間が形成される密閉型建物（４００）であり、
前記流体作動装置アセンブリ（２０）は、前記流体作動装置（２００）と前記２次流体圧送セット（２０２）との間に設けられる回転軸（２０１）および非接触磁気式の隔離伝動装置（２１０）をさらに有し、前記熱エネルギー流体に駆動される前記流体作動装置（２００）により、前記回転軸（２０１）、または、前記回転軸（２０１）および前記隔離伝動装置（２１０）を介して前記２次流体圧送セット（２０２）を駆動し、
前記流体作動装置（２００）は、前記熱エネルギー流体管路（１０５）と連通する流体入口（１０２）および流体出口（１０３）を有し、前記流体入口（１０２）から入る前記熱エネルギー流体により前記回転軸（２０１）を回転し、
前記２次流体圧送セット（２０２）は、２次流体入口（２０３）、２次流体出口（２０４）、前記２次流体入口（２０３）と前記２次流体出口（２０４）との間に設けられる仕切板（２０５）、ならびに、前記回転軸（２０１）または前記隔離伝動装置（２１０）により駆動され前記２次流体を圧送する羽根セットを有し、前記２次流体入口（２０３）から入る前記２次流体を前記２次流体出口（２０４）から送り出し、
前記２次流体流路（５００）は、前記半開放建物（３００）の内部に形成され、前記２次流体を案内し、一端に形成され前記内部空間と接続する流路入口（７００）および他端に形成され前記内部空間と接続する流路出口（７５０）を有し、内部に前記２次流体フローガイドプレート（６００）が設けられ、
前記２次流体フローガイドプレート（６００）は、前記２次流体の流れ方向に板状に形成され、前記２次流体の流れを誘導可能であり、前記２次流体を分流することを特徴とする流体循環用建物。
【発明の詳細な説明】
【技術分野】
【０００１】
本発明は、建物に関し、詳しくは、２次流体の循環に用いられる流体循環用建物に関する。
【背景技術】
【０００２】
従来、流体管路を備え、熱エネルギーの熱交換装置を利用して、外部の機械回転の運動エネルギー又は電気モータにより流体圧送セットを転動させ、更に気流を駆動し熱交換装置を通過させることにより、熱交換装置の熱交換効率を向上させる。
【先行技術文献】
【特許文献】
【０００３】
【特許文献１】特開２００５−００９７０８号公報
【発明の概要】
【発明が解決しようとする課題】
【０００４】
しかしながら、従来の熱交換装置は、コストが高く、エネルギーの消耗が高い欠点がある。また開放式空間に送り込む熱エネルギー気流が還流しないと熱エネルギーが無駄になる。
本発明は、上記問題に鑑みてなされたものであり、その目的は、エネルギーの消耗を低減する流体循環用建物を提供することにある。
【課題を解決するための手段】
【０００５】
本発明による流体循環用建物は、本体、熱交換装置（１００、および流体作動装置アセンブリ（２０）を備える。本体は、媒体を収容する内部空間、内部空間に連通され２次流体が流れる２次流体流路（５００）、ならびに、２次流体流路（５００）に設けられる２次流体フローガイドプレート（６００）を有する。熱交換装置（１００）は、２次流体流路（５００）に設けられ熱エネルギー流体が流れる。流体作動装置アセンブリ（２０）は、熱エネルギー流体により駆動される流体作動装置（２００）、および、流体作動装置（２００）により駆動される２次流体圧送セット（２０２）を有し、２次流体流路（５００）に設けられる。２次流体は、流体作動装置アセンブリ（２０）により内部空間と２次流体流路（５００）との間で循環し、熱交換装置（１００）により加熱される。
【図面の簡単な説明】
【０００６】
【図１】本発明の第１実施形態による流体循環用建物を示す側面図。
【図２】本発明の第１実施形態による流体循環用建物を示す平面図。
【図３】本発明の第２実施形態による流体循環用建物を示す側面図。
【図４】本発明の第２実施形態による流体循環用建物を示す平面図。
【図５】本発明の第３実施形態による流体循環用建物を示す側面図。
【図６】本発明の第３実施形態による流体循環用建物を示す平面図。
【図７】本発明の第４実施形態による流体循環用建物を示す側面図。
【図８】本発明の第４実施形態による流体循環用建物を示す平面図。
【図９】本発明の第５実施形態による流体循環用建物を示す側面図。
【図１０】本発明の第５実施形態による流体循環用建物を示す平面図。
【図１１】本発明の第６実施形態による流体循環用建物を示す側面図。
【図１２】本発明の第６実施形態による流体循環用建物を示す平面図。
【図１３】本発明の第７実施形態による流体循環用建物を示す側面図。
【図１４】本発明の第７実施形態による流体循環用建物を示す平面図。
【図１５】本発明の第８実施形態による流体循環用建物を示す側面図。
【図１６】本発明の第８実施形態による流体循環用建物を示す平面図。
【図１７】本発明の第９実施形態による流体循環用建物を示す側面図。
【図１８】本発明の第９実施形態による流体循環用建物を示す平面図。
【図１９】本発明の第１０実施形態による流体循環用建物を示す側面図。
【図２０】本発明の第１０実施形態による流体循環用建物を示す平面図。
【図２１】本発明の第１１実施形態による流体循環用建物を示す側面図。
【図２２】本発明の第１１実施形態による流体循環用建物を示す平面図。
【図２３】本発明の第１２実施形態による流体循環用建物を示す側面図。
【図２４】本発明の第１２実施形態による流体循環用建物を示す平面図。
【図２５】本発明の第１２実施形態の流体源（９９９）を示す模式図。
【図２６】本発明の第１２実施形態の温度調節補助装置（１２０３）を示す模式図。
【図２７】本発明の第１２実施形態の自然の熱エネルギー伝送用流体管路（１１００）を示す模式図。
【図２８】本発明の第１２実施形態の隔離伝動装置（２１０）を示す模式図。
【発明を実施するための形態】
【０００７】
本発明の実施形態を図に基づいて説明する。
（第１実施形態）
本発明の第１実施形態による流体循環用建物を図１および図２に示す。図１に示すように、本実施形態による流体循環用建物は、半開放型建物へ応用され、また流路を備える熱交換装置（１００）が２次流体流路（５００）中の流体作動装置アセンブリ（２０）の近くに設置されている。
【０００８】
図１および図２に示すように、圧力を持つ熱エネルギー流体源の流体運動エネルギー及び熱エネルギーにより、流体循環用建物を構成する。その主な構成は下記の通りである。
【０００９】
流路を備える熱交換装置（１００）は、熱伝導性材料で製作される熱交換装置であり、熱エネルギー流体を通過させる流路を備える。流路を備える熱交換装置（１００）は、外部を通過する２次流体に対して、熱エネルギーを放出する熱交換構造によって構成され、直立又は傾斜するように２次流体流路（５００）中にある流体作動装置アセンブリ（２０）の近くに設置される。
熱交換装置は、熱エネルギー流体を供給する熱エネルギー流体の入口（１００１）を有する。
熱交換装置は、熱エネルギー流体を排出する熱エネルギー流体の出口（１００２）を有する。
【００１０】
流体作動装置アセンブリ（２０）は、１個以上の流体作動装置（２００）及び１個以上の２次流体圧送セット（２０２）を有する。圧力を持つ熱エネルギー流体は、流体作動装置（２００）を通過するとき、流体作動装置（２００）を駆動し、回転軸（２０１）を駆動する。流体作動装置アセンブリ（２０）は、回転軸（２０１）から回転の運動エネルギーを出力することにより、直接２次流体圧送セット（２０２）を駆動することができる。また、流体作動装置（２００）と２次流体圧送セット（２０２）との間に設置される非接触磁気式の隔離伝動装置（２１０）にある非接触磁気式の隔離伝動装置の入力軸（２２０）を介して、２次流体圧送セット（２０２）を駆動することができる。
熱エネルギー流体は、流体作動装置アセンブリ（２０）の流体作動装置（２００）を駆動する。
流体作動装置の流体入口（１０２）と流体作動装置の流体出口（１０３）は、流体作動装置（２００）を通過する熱エネルギー流体を吸入または吐出する。
【００１１】
熱エネルギー流体管路（１０５）は、熱エネルギー流体の性質及び温度によって、熱エネルギー流体管路を選択する構造であり、熱エネルギー流体の吸入口（１０１）から来る熱エネルギー流体供給源の熱エネルギー流体を吸入し、流体作動装置（２００）及び流路を備える熱交換装置（１００）に連通する。熱エネルギー流体は熱エネルギー流体の吐出口（１０４）から流出する。流路を備える熱交換装置（１００）及び流体作動装置（２００）は、熱エネルギー流体管路（１０５）により連通される。両者間は直列接続、並列接続、又は、直並列接続する。
【００１２】
２次流体圧送セット（２０２）は、流体を回転圧送する羽根セットによって構成され、流体作動装置（２００）から来る圧力を持たせる熱エネルギー流体によって駆動される回転軸（２０１）により直接駆動されることができる。又は、回転軸（２０１）から非接触磁気式の隔離伝動装置（２１０）にある非接触磁気式の隔離伝動装置の入力軸（２２０）に入力された回転の運動エネルギーにより、非接触磁気式の隔離伝動装置（２１０）が駆動され、非接触磁気式の隔離伝動装置の出力軸（２２１）によって２次流体圧送セット（２０２）が駆動される。これにより、２次流体は、２次流体圧送セットの２次流体入口（２０３）から吸入され、２次流体圧送セットの２次流体出口（２０４）からポンプアウトする。２次流体圧送セットの２次流体入口（２０３）と２次流体圧送セットの２次流体出口（２０４）との間に仕切板（２０５）を備える。２次流体圧送セットの２次流体出口（２０４）に圧送される２次流体は、２次流体流路（５００）、２次流体フローガイドプレート（６００）、流路を備える熱交換装置（１００）、流路出口（７５０）を経て、熱エネルギー流体により加熱される。
【００１３】
半開放建物（３００）は、流路を備える熱交換装置（１００）、流体作動装置（２００）と２次流体圧送セット（２０２）を含む流体作動装置アセンブリ（２０）、熱エネルギー流体管路（１０５）、２次流体流路（５００）、２次流体フローガイドプレート（６００）、流路入口（７００）を設置するために、少なくとも片側に建物立面構造及び一つの建物頂部の構造を備えることにより本実施形態の流体加熱とポンピングする２次流体が還流する建物を構成し、及び一部の２次流体の循環圧送を形成する。
【００１４】
２次流体流路（５００）は、半開放建物（３００）の内部に形成することができる。また、半開放建物（３００）の外部に形成することができる。２次流体流路（５００）は、２次流体圧送セット（２０２）に圧送される２次流体を誘導する。２次流体をは、２次流体フローガイドプレート（６００）及び流路を備える熱交換装置（１００）及び流路出口（７５０）を流れ、半開放建物（３００）内部にある２次流体の温度差体を注入する空間に入る。その中の一部の熱エネルギー流体は、流路入口（７００）から２次流体圧送セット（２０２）の流路入口（７００）へ流れる。
【００１５】
２次流体フローガイドプレート（６００）は、１枚又はそれ以上の板状、片状又はフローガイド傾斜面を備え、２次流体の流れを誘導するよう構成され、流路を備える熱交換装置（１００）の上流側（１１０）、流路を備える熱交換装置（１００）の下流側（１２０）、または両側に設けられ、２次流体を分流することにより、２次流体が流路を備える熱交換装置（１００）を均一に通過し、及び半開放建物（３００）中の温度差がある空間に入る。
【００１６】
流路入口（７００）は、半開放建物（３００）の温度差がある内部空間と２次流体圧送セットの２次流体入口（２０３）との間に設置される。２次流体は、流路入口（７００）から吸入され、一部が２次流体圧送セットの２次流体入口（２０３）に入る。
【００１７】
（第２実施形態）
本発明の第２実施形態による流体循環用建物を図３および図４に示す。図３に示すように、本実施形態による流体循環用建物は、半開放型建物へ応用され、また流路を備える熱交換装置（１００）が２次流体流路（５００）中の流路出口（７５０）の近くに設置されている。
【００１８】
図３と図４に示すように、圧力を持つ熱エネルギー流体源の流体運動エネルギー及び熱エネルギーにより、流体循環用建物を構成する。その主な構成は下記の通りである。上記第１実施形態と実質的に同一の構成部分には同一の符号を付し、説明を省略する。
【００１９】
流路を備える熱交換装置（１００）は、熱伝導性材料で製作される熱交換装置であり、熱エネルギー流体を通過させる流路を備る。流路を備える熱交換装置（１００）は、外部を通過する２次流体に対して、熱エネルギーを放出する熱交換構造によって構成され、水平又は水平に近くなるように２次流体流路（５００）中にある流路出口（７５０）の近くに設置される。
【００２０】
（第３実施形態）
本発明の第３実施形態による流体循環用建物を図５および図６に示す。図５に示すように、本実施形態による流体循環用建物は、密閉型建物へ応用され、また流路を備える熱交換装置（１００）が２次流体流路（５００）中の流体作動装置アセンブリ（２０）の近くに設置されている。
【００２１】
上記第１実施形態と実質的に同一の構成部分には同一の符号を付し、説明を省略する。  密閉型建物（４００）は、密閉構造である。密閉型建物（４００）の内部には２次流体を収容し、筒状、球状、槽状、貯蔵室、又は、キャビネット形密閉型の内部空間を有する。
【００２２】
２次流体流路（５００）は、密閉型建物（４００）の内部に形成することができる。また、半開放建物（３００）の外部に形成することができる。２次流体流路（５００）は、２次流体圧送セット（２０２）に圧送される２次流体を誘導する。２次流体は、２次流体フローガイドプレート（６００）及び流路を備える熱交換装置（１００）及び流路出口（７５０）を流れ、密閉型建物（４００）内部にある２次流体の温度差体を注入する空間に入る。その中の一部の熱エネルギー流体は、流路入口（７００）から２次流体圧送セット（２０２）の流路入口（７００）へ流れる。
【００２３】
（第４実施形態）
本発明の第２実施形態による流体循環用建物を図７および図８に示す。図７に示すように、本実施形態による流体循環用建物は、
密閉型建物へ応用され、また流路を備える熱交換装置（１００）が２次流体流路（５００）中の流路出口（７５０）の近くに設置されている。
【００２４】
図７と図８に示すように、圧力を持つ熱エネルギー流体源の流体運動エネルギー及び熱エネルギーにより、流体循環用建物を構成する。その主な構成は下記の通りである。上記第２実施形態と実質的に同一の構成部分には同一の符号を付し、説明を省略する。
【００２５】
密閉型建物（４００）は、密閉構造である。密閉型建物（４００）の内部には２次流体を収容し、筒状、球状、槽状、貯蔵室、又は、キャビネット形密閉型の内部空間を有する。
【００２６】
２次流体流路（５００）は、密閉型建物（４００）の内部に形成することができる。また、半開放建物（３００）の外部に形成することができる。２次流体流路（５００）は、２次流体圧送セット（２０２）に圧送される２次流体を誘導する。２次流体は、２次流体フローガイドプレート（６００）及び流路を備える熱交換装置（１００）及び流路出口（７５０）を流れ、密閉型建物（４００）内部にある２次流体の温度差体を注入する空間に入る。その中の一部の熱エネルギー流体は、流路入口（７００）から２次流体圧送セット（２０２）の流路入口（７００）へ流れる。
【００２７】
本実施形態の流体循環用建物の２次流体は液相流体によって構成され、また熱エネルギー流体は、気相又は液相の熱エネルギー流体であって、槽状、池状、又は、密閉空間に設置される。
本実施形態の流体循環用建物の流路入口（７００）及び流路出口（７５０）に防護ネット（８００）と防護ネット（９００）を設置することができる。
本実施形態では、流体の圧力機能向上の熱エネルギー流体ポンプ（１２０１）を設置することができる。
【００２８】
本実施形態では、熱エネルギー流体管路（１０５）に熱エネルギー流体流量調節弁（１２０２）を設置することにより、熱エネルギー流体の流量を調節することができる。
【００２９】
（第５実施形態）
本発明の第５実施形態による流体循環用建物を図９および図１０に示す。  図９と図１０に示すように、本実施形態では、同一の半開放建物（３００）中に、熱交換装置（１００）、流体作動装置アセンブリ（２０）、２次流体流路（５００）、および、２次流体フローガイドプレート（６００）を含む２次流体循環システムを複数有する。上記第１実施形態と実質的に同一の構成部分には同一の符号を付し、説明を省略する。
【００３０】
（第６実施形態）
本発明の第６実施形態の流体循環用建物を図１１および図１２に示す。  図１１と図１２に示すように、本実施形態では、同一の半開放建物（３００）中に、熱交換装置（１００）、流体作動装置アセンブリ（２０）、２次流体流路（５００）、および、２次流体フローガイドプレート（６００）を含む２次流体循環システムを複数有する。上記第２実施形態と実質的に同一の構成部分には同一の符号を付し、説明を省略する。
【００３１】
（第７実施形態）
本発明の第７実施形態による流体循環用建物を図１３および図１４に示す。
図１３と図１４に示すように、本実施形態では、同一の密閉型建物（４００）中に、熱交換装置（１００）、流体作動装置アセンブリ（２０）、２次流体流路（５００）、および、２次流体フローガイドプレート（６００）を含む２次流体循環システムを複数有する。上記第３実施形態と実質的に同一の構成部分には同一の符号を付し、説明を省略する。
【００３２】
（第８実施形態）
本発明の第８実施形態を図１５、１６に示す。図１５と図１６に示すように、本実施形態では、同一の密閉型建物（４００）中に、熱交換装置（１００）、流体作動装置アセンブリ（２０）、２次流体流路（５００）、および、２次流体フローガイドプレート（６００）を含む２次流体循環システムを複数有する。上記第４実施形態と実質的に同一の構成部分には同一の符号を付し、説明を省略する。
【００３３】
本実施形態の流体循環用建物の中に設置される温度差がある空間の媒体は、気相又は液相を含む流体、又は前述した気相又は液相流体中の固体により構成されることを指す。
本実施形態の流体循環用建物の中の熱エネルギー流体は、液相又は気相を含む熱エネルギー流体を指す。
【００３４】
本実施例の流体循環用建物は、筒状・槽状建物であり、湖、河川、又は、海洋中の液相２次流体へ応用することにより、気相又は液相の熱エネルギー流体を通して、媒体の２次流体に対して熱エネルギーを転送することができる。
【００３５】
（第９実施形態）
本発明の第９実施形態の流体循環用建物を図１７、１８に示す。図１７と図１８に示すように、本実施形態では、本体は筒状または槽状の半開放型建物であり、２次流体は湖、河川、又は、海洋中の液相流体である。上記第１実施形態と実質的に同一の構成部分には同一の符号を付し、説明を省略する。
【００３６】
（第１０実施形態）
本発明の第１０実施形態を図１９、２０に示す。図１９と図２０に示すように、本実施形態では、本体は筒状、球状、または槽状の密閉型建物である。上記第３実施形態と実質的に同一の構成部分には同一の符号を付し、説明を省略する。
【００３７】
（第１１実施形態）
本発明の第１１実施形態の流体循環用建物を図２１、２２に示す。
本実施形態は、熱交換装置（１００）を備えていない点で上記第１実施形態と異なる。なお、上記第１実施形態と実質的に同一の構成部分には同一の符号を付し、説明を省略する。
【００３８】
（第１２実施形態）
本発明の第１１実施形態を図２３、２４に示す。
本実施形態は、熱交換装置（１００）を備えていない点で上記第３実施形態と異なる。なお、上記第３実施形態と実質的に同一の構成部分には同一の符号を付し、説明を省略する。
本実施形態の流体循環用建物の圧力を持つ熱エネルギー流体は、以下の１種以上によって構成される。
（１）  熱エネルギー及び位置エネルギーを有する水源により供給される圧力流体。
（２）  熱エネルギー及び位置エネルギーを有する水道水の水源により供給される圧力流体。
（３）  熱エネルギー流体ポンプ（１２０１）により加圧される圧力流体。
図２５は、流体源（９９９）および熱エネルギー流体ポンプ（１２０１）が設けられる熱エネルギー流体管路（１０５）を示す。
【００３９】
（４）  温度調節補助装置（１２０３）を設けることにより、圧力を持つ熱エネルギー流体の流体源（９９９）から来る流体に対して加熱又は冷却してから、再びポンプアウトする。
図２６は、温度調節補助装置（１２０３）が設けられる熱エネルギー流体管路（１０５）を示す。
【００４０】
（５）  地層、湖、河川、池等の自然の熱エネルギー体（１１０１）中の自然の熱エネルギー伝送用流体管路（１１００）は、熱エネルギー流体ポンプ（１２０１）により、圧力を持つ熱エネルギー流体を生成し、流体作動装置（２００）と熱交換装置（１００）を通過することにより、熱エネルギー流体回路を構成する。
【００４１】
図２７は、熱エネルギー流体ポンプ（１２０１）により熱エネルギー流体を圧送し、自然の熱エネルギー体（１１０１）中に設置される自然の熱エネルギー伝送用流体管路（１１００）を示す。
【００４２】
本実施形態の非接触磁気式の隔離伝動装置（２１０）は、回転軸（２０１）とともに回転する入力軸（２２０）および能動的回転部（２１２）、ならびに、出力軸（２２１）および受動的回転部（２１１）を有する。能動的回転部（２１２）と受動的回転部（２１１）とは、永磁式マグネットを備える磁界結合体である。受動的回転部（２１１）は、能動的回転部（２１２）の回転により駆動され、出力軸（２２１）を回転させ、２次流体圧送セット（２０２）を駆動する。
【００４３】
図２８は、非接触磁気式の隔離伝動装置（２１０）を示す。本実施形態の流体循環用建物の熱エネルギー流体と２次流体の組合せ応用は、以下の１種以上を含む。
（１）  気相の熱エネルギー流体を入れ、流体作動装置（２００）を駆動し、気相の２次流体に対して、冷却又は加熱する。
（２）  液相の熱エネルギー流体を入れ、流体作動装置（２００）を駆動し、気相の２次流体に対して、冷却又は加熱する。
（３）  気相の熱エネルギー流体を入れ、流体作動装置（２００）を駆動し、液相の２次流体に対して冷却又は加熱する。
（４）  液相熱エネルギー流体を入れ、流体作動装置（２００）を駆動して、液相の２次流体に対して冷却又は加熱する。
【符号の説明】
【００４４】
２０：流体作動装置アセンブリ、
１００：流路を備える熱交換装置、
１１０：上流側、
１２０：下流側、
１０１：吸入口、
１０４：吐出口、
１０２：流体入口、
１０３：流体出口、
１０５：熱エネルギー流体管路、
２００：流体作動装置、
２０１：回転軸、
２０２：２次流体圧送セット、
２０３：２次流体入口、
２０４：２次流体出口、
２０５：仕切板、
２１０：隔離伝動装置、
２１１：受動的回転部、
２１２：能動的回転部、
２２０：入力軸、
２２１：出力軸、
３００：半開放建物（本体）、
４００：密閉型建物（本体）、
５００：２次流体流路、
６００：２次流体フローガイドプレート、
７００：流路入口、
７５０：流路出口、
８００：２次流体入口の防護ネット、
９００：２次流体出口の防護ネット、
９９９：圧力を持つ熱エネルギー流体の流体源、
１００１：熱エネルギー流体の入口、
１００２：熱エネルギー流体の出口、
１１００：自然の熱エネルギー伝送用流体管路、
１１０１：自然の熱エネルギー体、
１２０１：熱エネルギー流体ポンプ、
１２０２：熱エネルギー流体流量調節弁、
１２０３：温度調節補助装置。
【図１】
2013044521.tif 000003
【図２】
2013044521.tif 000004
【図３】
2013044521.tif 000005
【図４】
2013044521.tif 000006
【図５】
2013044521.tif 000007
【図６】
2013044521.tif 000008
【図７】
2013044521.tif 000009
【図８】
2013044521.tif 000010
【図９】
2013044521.tif 000011
【図１０】
2013044521.tif 000012
【図１１】
2013044521.tif 000013
【図１２】
2013044521.tif 000014
【図１３】
2013044521.tif 000015
【図１４】
2013044521.tif 000016
【図１５】
2013044521.tif 000017
【図１６】
2013044521.tif 000018
【図１７】
2013044521.tif 000019
【図１８】
2013044521.tif 000020
【図１９】
2013044521.tif 000021
【図２０】
2013044521.tif 000022
【図２１】
2013044521.tif 000023
【図２２】
2013044521.tif 000024
【図２３】
2013044521.tif 000025
【図２４】
2013044521.tif 000026
【図２５】
2013044521.tif 000027
【図２６】
2013044521.tif 000028
【図２７】
2013044521.tif 000029
【図２８】
2013044521.tif 000030
【外国語明細書】
2013044521.tif 000031
2013044521.tif 000032
2013044521.tif 000033
2013044521.tif 000034
2013044521.tif 000035
2013044521.tif 000036
2013044521.tif 000037
2013044521.tif 000038
2013044521.tif 000039
2013044521.tif 000040
2013044521.tif 000041
2013044521.tif 000042
2013044521.tif 000043
2013044521.tif 000044
2013044521.tif 000045
2013044521.tif 000046
2013044521.tif 000047
2013044521.tif 000048
2013044521.tif 000049
2013044521.tif 000050
2013044521.tif 000051
2013044521.tif 000052
2013044521.tif 000053
2013044521.tif 000054
2013044521.tif 000055
2013044521.tif 000056
2013044521.tif 000057
2013044521.tif 000058
2013044521.tif 000059
2013044521.tif 000060
2013044521.tif 000061
2013044521.tif 000062
2013044521.tif 000063
2013044521.tif 000064
2013044521.tif 000065
2013044521.tif 000066
2013044521.tif 000067
2013044521.tif 000068
2013044521.tif 000069
2013044521.tif 000070
2013044521.tif 000071
2013044521.tif 000072
2013044521.tif 000073
2013044521.tif 000074
2013044521.tif 000075
2013044521.tif 000076
2013044521.tif 000077
2013044521.tif 000078
2013044521.tif 000079
2013044521.tif 000080
2013044521.tif 000081
2013044521.tif 000082
2013044521.tif 000083
2013044521.tif 000084
2013044521.tif 000085
2013044521.tif 000086
2013044521.tif 000087
2013044521.tif 000088
2013044521.tif 000089
2013044521.tif 000090
2013044521.tif 000091
2013044521.tif 000092
2013044521.tif 000093
2013044521.tif 000094
2013044521.tif 000095
2013044521.tif 000096
2013044521.tif 000097
2013044521.tif 000098
2013044521.tif 000099
2013044521.tif 000100
2013044521.tif 000101
2013044521.tif 000102
2013044521.tif 000103
2013044521.tif 000104
2013044521.tif 000105
2013044521.tif 000106
2013044521.tif 000107
2013044521.tif 000108
2013044521.tif 000109
2013044521.tif 000110
2013044521.tif 000111
2013044521.tif 000112
2013044521.tif 000113
2013044521.tif 000114
2013044521.tif 000115
2013044521.tif 000116
2013044521.tif 000117
2013044521.tif 000118
2013044521.tif 000119
2013044521.tif 000120
2013044521.tif 000121
2013044521.tif 000122
2013044521.tif 000123
2013044521.tif 000124
2013044521.tif 000125
2013044521.tif 000126
2013044521.tif 000127
2013044521.tif 000128
2013044521.tif 000129
2013044521.tif 000130
2013044521.tif 000131
2013044521.tif 000132
2013044521.tif 000133
2013044521.tif 000134
2013044521.tif 000135
2013044521.tif 000136
2013044521.tif 000137
2013044521.tif 000138
2013044521.tif 000139
2013044521.tif 000140
2013044521.tif 000141
2013044521.tif 000142
2013044521.tif 000143
2013044521.tif 000144
2013044521.tif 000145
2013044521.tif 000146
2013044521.tif 000147
2013044521.tif 000148
2013044521.tif 000149
2013044521.tif 000150
2013044521.tif 000151
2013044521.tif 000152
2013044521.tif 000153
2013044521.tif 000154
2013044521.tif 000155
2013044521.tif 000156
2013044521.tif 000157
2013044521.tif 000158